(57)【要約】 【課題】  流し台等の扉と枠部材との間の隙間や吊り戸棚等の棚板と扉との間の隙間を利用してガタ付き無く取り付けることができると共に、係止具を取付部分で回動する構造として、使い勝手を良くする。【解決手段】  鉤状引掛部５の前脚片５ａに括れ６のある欠切溝７を設けた引掛具２と、当該括れ６と嵌合する軸芯部８に多数の鍔部９を軸線方向に列設して前記前脚片５ａを挿入可能な環状空間部１０を軸線方向に多数形成したスペーサー３と、当該スペーサー３の前部環状空間部１０に回動自在に取り付けた係止具４とを備えている。【選択図】    図１
2005040503.tif 000002
【特許請求の範囲】
【請求項１】
鉤状引掛部の前脚片に括れのある欠切溝を設けた引掛具と、当該括れと嵌合する軸芯部に多数の鍔部を軸線方向に列設して前記前脚片を挿入可能な環状空間部を軸線方向に多数形成したスペーサーと、当該スペーサーの前部環状空間部に回動自在に取り付けた係止具とを備えることを特徴とする掛け吊り具。
【請求項２】
前記係止具は、基部に前記軸芯部に嵌合する括れのある欠切溝を設けた支持部と、当該支持部に取り付けた係止部とを備えることを特徴とする請求項１に記載の掛け吊り具。
【発明の詳細な説明】
【技術分野】
【０００１】
本発明は、洗面台や流し台、或いは吊り戸棚等において、扉とその枠部材との隙間や扉と棚板との隙間を利用して取り付くようにした掛け吊り具に関するものである。
【背景技術】
【０００２】
この種の掛け吊り具として、特許文献１が知られている。
特許文献１に開示された掛け吊り具３０は、図５に示すように、洗面台や流し台の扉と枠部材との間の僅かな隙間に収まる板厚の鉤状引掛部３１で扉Ｄの上面に引っ掛け可能とし、この鉤状引掛部３１の前脚片３１ａの下端部にフック金具等の係止具類（図示せず）を垂設したものであって、扉上面の引っ掛かり箇所の遊びを無くすための隙間調整部材３２を後脚片３１ｂに取り付けて使用するものである。
この掛け吊り具３０では、流し台や洗面台等によって扉の厚さが変わっても、扉の厚み、即ち、引っ掛け箇所の遊び幅に合わせて隙間調整部材３２の溝部３３（環状空間部）を選択することにより、後脚片３１ｂと扉Ｄの裏面との隙間を無くし、掛け吊り具３０をガタ付き無く扉Ｄに取り付けることができるようになっている。
【特許文献１】実開平７−３５６９５号公報
【発明の開示】
【発明が解決しようとする課題】
【０００３】
ところで、上記した掛け吊り具３０は、鉤状引掛部３１自体に係止具類を取り付ける構造であるため、係止具類は鉤状引掛部３１を介して扉Ｄに固定された状態で扉Ｄの垂直面に沿って垂設されることになる。
【０００４】
係る構造であると、例えば、流し台の扉に係止具としてタオル掛けを取り付け、腰下の位置でタオル類を吊り下げるようにした場合、タオル掛けのアーム部分が固定されていると、手を拭こうとタオル類を手元に引き上げた時、タオル類が引っ張られて手が拭き難いという欠点があった。また、タオル類が引っ張られることにより、掛け吊り具３０に無理な力が掛かって扉との取付部分が緩んだり、無理に引っ張って扉から脱落したりするという不都合も生じ得る。
【０００５】
必要な時、その都度、タオル類をタオル掛けから外して使用するのも忙しい台所仕事にあっては面倒なことである。このようなことから、上記構造の掛け吊り具は、例えば、タオル掛けとして用いた場合は特に使い勝手が悪かった。
【０００６】
本発明は、上記欠点に鑑みて成されたもので、使い勝手の良い掛け吊り具を提供することを目的としている。
【課題を解決するための手段】
【０００７】
すなわち、請求項１に記載の本発明は、鉤状引掛部の前脚片に括れのある欠切溝を設けた引掛具と、当該括れと嵌合する軸芯部に多数の鍔部を軸線方向に列設して前記前脚片を挿入可能な環状空間部を軸線方向に多数形成したスペーサーと、当該スペーサーの前部環状空間部に回動自在に取り付けた係止具とを備えることを特徴としている。
【０００８】
また、請求項２に記載の本発明は、請求項１に記載の掛け吊り具において、前記係止具は、基部に前記軸芯部に嵌合する括れのある欠切溝を設けた支持部と、当該支持部に取り付けた係止部とを備えることを特徴としている。
【０００９】
請求項１、請求項２に記載の構成では、扉や棚板の厚みに応じて各鍔部間の環状空間部を選択することにより、掛け吊り具を扉や棚板にガタ付き無く取り付けることができる。また、係止具の支持部が引掛具に対して回動可能であるため、係止具としてタオル掛けを流し台等の扉に取り付けた場合は、アームが取付部分（首部）で左右に揺動し、また、吊り戸棚等の棚板に取り付けた場合は、アームが取付部分で回動する。このように、手を拭く際にアームを使い易い方向に向かせることができるため、極めて使い勝手が良いものとなる。
【発明の効果】
【００１０】
以上、説明したように、本発明によれば、扉や棚板の厚みに応じてスペーサーの環状空間部を選択することにより、掛け吊り具を扉や棚板にガタ付き無く取り付けることができる。
また、係止具の支持部が回動可能な構造であるため、例えば、係止具としてタオル掛けを流し台等の扉に取り付けた場合は、タオル掛けのアームが取付部分（首部）で左右方向に揺動し、また、吊り戸棚等の棚板に取り付けた場合は、アームが取付部分で回動する。このように、手を拭く際にアームを使い易い方向に向かせることができるため、極めて使い勝手が良い。
【発明を実施するための最良の形態】
【００１１】
以下、図１〜図４に基づいて本発明に係る掛け吊り具の実施形態を説明する。
図１は掛け吊り具の分解斜視図、図２はこの掛け吊り具を扉に取り付けた状態を示す図、図３は掛け吊り具の正面図、図４はこの掛け吊り具を棚板に取り付けた状態を示す図である。
【００１２】
図１に示すように、本実施形態の掛け吊り具１は、流し台や洗面台等の扉の上面や吊り棚等の棚板の端部に引っ掛けて使用する引掛具２と、引っ掛け時の遊びを調整するためのスペーサー３と、係止具として用いたタオル掛け４とで概略構成されている。
【００１３】
引掛具２は、比較的強度の高い合成樹脂製の細長板材の一端をコの字に折曲して鉤状引掛部５を形成すると共に、その前脚片５ａに側部の差込口より中央部に至る欠切溝７を設けたものである。この欠切溝７は、前脚片５ａの中央部分に円状の括れ６を備えており、この括れ６が後述するスペーサー３の軸芯部８に嵌合するようになっている。
【００１４】
上記スペーサー３は、円筒状の軸芯部８に、その軸線方向に沿って薄い円盤状の鍔部９を等間隔に多数列設して構成したもので、これにより、各々鍔部９の間に上記前脚片５ａを差し込んで係止するための環状空間部１０が形成される。このスペーサー３は合成樹脂材で成り、各鍔部９間の隙間は引掛具２の板厚とほぼ同程に設定されており、且つ、軸芯部８の外径は前脚片５ａの欠切溝７の幅より幾分大き目に形成されている。
この軸芯部８を欠切溝７の差込口より差し込んで中央部の括れ６に嵌合させると、鍔部９が前脚片５ａの両側に弾性接触して前脚片５ａを両面より挟持する状態となる。これにより、スペーサー３は前脚片５ａにしっかりと係止される。尚、最後端に位置する鍔部９の裏側には、軸芯部８を介して緩衝用のクッション材１１が装着されている。
【００１５】
次に、タオル掛け４は、底部のタオルバー１２ａに滑り止め２０を設けた角形リング状のアーム１２（係止部）と、アーム１２を支持する支持部１３と、支持部１３を覆うカバー１４とで構成される。
【００１６】
支持部１３は、薄板で成る円盤状の基部１５の外周に一対の支持片１６、１６を対向配置したものであり、基部１５には上記した鉤状引掛部５の前脚片５ａと同様に、スペーサー３の軸芯部８に嵌合する括れ１７のある欠切溝１８を設けて、軸芯部８を介してスペーサー３の環状空間部１０に回動自在に取り付け可能となっている。尚、基部１５の取り付け箇所は、スペーサー３の前部に当たる環状空間部１０となる。
【００１７】
また、支持片１６には嵌合孔１９が設けてあり、この嵌合孔１９にアーム１２の開放端となる細径端部２１を挿入することにより、アーム１２は回動自在に取り付けられる。アーム１２の細径端部２１には、脱落防止用の突部２２が設けてある。
このように、タオル掛け４の場合、アーム１２は括れ１７を中心とする回動と嵌合孔１９を中心とする回動の両方の動作が可能となる。尚、カバー１４の取り付けは、カバー内壁に設けた凸部２３と基部１５の外周に設けた凹部２４を係合させることにより行う。
【００１８】
上記構成の掛け吊り具１を流し台等の扉Ｄに取り付ける場合は、図２に示すように、扉Ｄの厚さに応じて最も好適な位置の環状空間部１０を選び、スペーサ３の軸芯部８を前脚片５ａの欠切溝７に差し込んで嵌合し、引掛具２の鉤状引掛部５を扉Ｄの上面に引っ掛けるようにして、扉Ｄの前面に取り付ける。このように、取り付けは、鉤状引掛部５を扉Ｄに引っ掛けるだけであるから極めて簡単である。
【００１９】
この時、鉤状引掛部５の後脚片５ｂが扉Ｄの裏面に支持され、前脚片５ａと扉Ｄの前面との間の隙間、即ち、遊び部分に幅調整されたスペーサー３が介在されることになる。本実施形態の引掛具２では、樹脂製の鉤状引掛部５の弾性を利用して遊び幅の調整に或る程度の自由度を持たせているので、掛け吊り具１は常に最適な押圧力を持って扉Ｄに取り付けることができる。また、扉Ｄの前面と接触するスペーサー３の最後端部分にはクッション材１１が装着されており、取り付けによる扉面への傷付きや滑りが防止できる。
尚、タオル掛け４に関しては、既にスペーサー３の前部に回動自在に取り付けてあるものとする。その取り付けは、既述した通りである。また、タオル掛け４の取り付けに際し、基部１５を取り付けるスペーサー３前部の環状空間部１０の位置を変えることにより、アーム１２の位置を扉Ｄから離したり近づけたりすることができる。
【００２０】
このように、掛け吊り具１を流し台等の扉Ｄに取り付けて腰下の位置でタオル類（図示せず）を吊り下げる場合は、図３のように、アーム１２が前後方向に揺動し、支持部１３（首部）が左右方向に揺動してアーム１２を使い易い方向に向かせることができるため、極めて使い勝手が良い。また、タオル類を引っ掛けるタオルバー１２ａにゴム材等による滑り止め２０を設けて吊り下げたタオル類がアームより滑り落ち難くしてある。
【００２１】
また、本発明の掛け吊り具１は、吊り戸棚等の棚板Ｐに取り付けて上方位置でタオル類を吊り下げることも可能である。この場合は、図４に示すように、引掛具２の鉤状引掛部５を棚板Ｐの前端に引っ掛けるようにして掛吊り具１を棚板Ｐの下部（吊り戸棚の下）に取り付ける。この場合も、前記同様に棚板Ｐの厚さに応じて最も好適な位置の環状空間部１０を選択してスペーサー３を取り付ける。この時、鉤状引掛部５の後脚片５ｂが棚板Ｐの上面で支持され、前脚片５ａと棚板Ｐの下面との間の隙間、即ち、遊び部分に幅調整されたスペーサー３が介在されることになる。この場合、タオル掛け４のアーム１２は、前後方向に揺動すると共に、支持部１３（首部）が回動可能となる。
【００２２】
以上のように、本実施形態の掛け吊り具１は、流し台等の扉と枠部材との間の僅かな隙間や吊り戸棚等の棚板と扉との間の僅かな隙間を利用してガタ付き無く取り付けることができ、且つ、引掛具２に対して係止具４の支持部１３が回動する構造であるから、例えば、タオル掛けにタオル類を吊り下げた状態で手を拭き易く、極めて使い勝手の良いものとなる。
【００２３】
また、係止具４として、タオル掛け以外の用途別パーツ（例えば、布巾掛け、連フック等）を取り付けて使用することも勿論可能である。
【図面の簡単な説明】
【００２４】
【図１】本発明に係る掛け吊り具の分解斜視図。
【図２】同、掛け吊り具の扉への取り付けを示す図。
【図３】同、掛け吊り具の正面図。
【図４】同、掛け吊り具の棚板への取り付けを示す図。
【図５】従来の掛け吊り具の扉への取り付けを示す図。
【符号の説明】
【００２５】
１  掛け吊り具
２  引掛具
３  スペーサー
４  係止具（タオル掛け）
５  鉤状引掛部
５ａ    前脚片
６、１７  括れ
７、１８  欠切溝
８  軸芯部
９  鍔部
１０  環状空間部
１２  係止部（アーム）
１３  支持部
１５  基部
【図１】
2005040503.tif 000003
【図２】
2005040503.tif 000004
【図３】
2005040503.tif 000005
【図４】
2005040503.tif 000006
【図５】
2005040503.tif 000007